(57)【要約】【課題】ＡＥＤが組み込まれたエレベーター装置において、イタズラや盗難を保管時から使用時に至るまで確実に抑止し、救命処置を迅速にできるようにする。【解決手段】ＡＥＤ５（自動体外式除細動器）がエレベーターシステムに組み込まれたエレベーター装置において、エレベーターの乗りかご３内あるいは乗場側に設置された保管箱４内に施錠されて収納されたＡＥＤ５と、エレベーター制御装置に対して乗りかご３を呼ぶ信号としてＡＥＤ呼びを出力し、所定階に設置されたＡＥＤ呼びスイッチ９と、を備え、ＡＥＤ呼びスイッチ９からＡＥＤ５呼びが出力された場合、所定階に乗りかご３を直行させる専用運転を開始すると共に、専用運転の開始から所定階に乗りかご３が到着するまでの間に保管箱４を開錠する。【選択図】  図１
2010247983.tif 000002
【特許請求の範囲】
【請求項１】
電気的除細動が必要な患者に対する救命処置を支援する救命支援装置としてＡＥＤ（自動体外式除細動器）が組み込まれたエレベーター装置において、
エレベーターの乗りかご内あるいは乗場側に設置された保管箱内に施錠されて収納された前記ＡＥＤと、
エレベーター制御装置に対して前記乗りかごを呼ぶ信号としてＡＥＤ呼びを出力し、所定階に設置されたＡＥＤ呼びスイッチと、
を備え、
前記ＡＥＤ呼びスイッチから前記ＡＥＤ呼びが出力された場合、前記所定階に前記乗りかごを直行させる専用運転を開始すると共に、前記専用運転の開始から前記所定階に前記乗りかごが到着するまでの間に施錠された前記保管箱を開錠することを特徴とするエレベーター装置。
【請求項２】
請求項１に記載のものにおいて、前記ＡＥＤ呼びが出力された場合、予め登録された乗場呼びおよびかご呼びよりも優先して前記所定階にかごを直行運転するようになっていることを特徴とするエレベーター装置。
【請求項３】
請求項１に記載のものにおいて、前記専用運転の開始と共に、少なくとも前記乗りかご内あるいは前記乗場のいずれかに前記エレベーターが前記専用運転中であることを音又は文字で表示することを特徴とするエレベーター装置。
【請求項４】
請求項１に記載のものにおいて、前記専用運転の開始に伴い、前記乗りかご内に前記エレベーターが「ＡＥＤ専用運転中であり、急患対応中」であること、前記保管箱の開錠に伴い、前記保管箱から「ＡＥＤが取り出せる」こと、を音又は文字で表示することを特徴とするエレベーター装置。
【請求項５】
請求項１に記載のものにおいて、乗りかご内に前記保管箱を開錠する開錠スイッチを設けたことを特徴とするエレベーター装置。
【請求項６】
請求項１に記載のものにおいて、前記専用運転の開始とともに前記エレベーター制御装置は、通信回線を通じて接続可能とされた監視センタに通報を行うことを特徴とするエレベーター装置。
【発明の詳細な説明】
【技術分野】
【０００１】
本発明は、エレベーターに備えられた装置、例えば、電気的除細動が必要な患者に対する救命処置を支援する救命支援装置がエレベーターシステムに組み込まれたエレベーター装置に関し、特に、エレベーターの乗りかご内あるいは乗場側にＡＥＤ（Automated External Defibrillator，自動体外式除細動器）を収納したものに好適である。
【背景技術】
【０００２】
ＡＥＤは、心臓突然死の主な原因となる心室細動を発症した際に電気ショックを与えて心拍を回復させる機能を有する携帯可能な救命装置であり、心室細動の正常化に最も効果的といわれている。２００４年７月に医療従事者以外の一般市民でもこの装置を使用できるように法改正されて以来、学校，駅，特急電車，空港などの公共施設をはじめとして、商業施設や集合住宅，事務所，工場等へのＡＥＤの設置が急速に進んでいる。
【０００３】
エレベーターが設置された建物内で電気的除細動が必要な患者が発生した場合に、より迅速に電気的除細動を行うため、乗りかご内にＡＥＤを設置するとともに、乗場ＡＥＤボタンを各階の乗場に設け、ボタンが操作されたときにその設置階に乗りかごを直行運転することが知られ、例えば特許文献１に記載されている。
【０００４】
また、緊急時等に、かご内に閉じ込められた乗客に対して種々の避難用具を供給するため、かご内に避難用具を収納し、非常ボタンが押された際に、開閉扉を開錠することが知られ、例えば特許文献２に記載されている。
【０００５】
さらに、ＡＥＤ制御装置が緊急状況を示す信号を受信したことに応答してＡＥＤ保管箱の扉を開錠することが特許文献３に記載されている。
【先行技術文献】
【特許文献】
【０００６】
【特許文献１】特開２００８−２６５８９８号公報
【特許文献２】特開２００７−１７６６８５号公報
【特許文献３】国際公開第ＷＯ２００４／０２６７４８号パンフレット
【発明の概要】
【発明が解決しようとする課題】
【０００７】
一般的なＡＥＤ保管箱には透明または半透明のカバーが被せられているが、一刻を争って使うことを想定しているので、このカバーに施錠することは適切でない。一方、密室状態の乗りかご内は乗りかご外のオープンな空間よりイタズラの発生率が高いことが知られている。
【０００８】
したがって、単に、乗りかご内にＡＥＤを設置したものでは、ＡＥＤへのイタズラや盗難等が懸念され、特に子どもがこれを取り出して使用した場合には、本人または他人が電気ショックを受ける恐れがある。
【０００９】
また、イタズラや盗難の被害を受けた結果、緊急時の使用に支障が出る可能性も危惧される。そのため乗りかご内のＡＥＤは箱に収納して施錠することが望ましいが、施錠されていると緊急時にあわてて開錠作業に手間取り、救命処置に遅れを生じる。
【００１０】
さらに、特許文献２及び３に記載のように、単に、ボタンが押された際に、開閉扉の開錠を行うものでは、建物内，エレベーター外の場所で心室細動患者が発生した場合、かご内に居る人にとっては、非常事態であることが認識できず、迅速に対応することができない恐れがある。
【００１１】
本発明の目的は、上記従来技術の課題を解決し、ＡＥＤへのイタズラや盗難を保管時から使用時に至るまで確実に抑止し、心室細動を疑われる患者が発生した場合、ＡＥＤによる救命処置を迅速にできるようにすることにある。
【課題を解決するための手段】
【００１２】
電気的除細動が必要な患者に対する救命処置を支援する救命支援装置としてＡＥＤ（自動体外式除細動器）が組み込まれたエレベーター装置において、エレベーターの乗りかご内あるいは乗場側に設置された保管箱内に施錠されて収納された前記ＡＥＤと、エレベーター制御装置に対して前記乗りかごを呼ぶ信号としてＡＥＤ呼びを出力し、所定階に設置されたＡＥＤ呼びスイッチと、を備え、前記ＡＥＤ呼びスイッチから前記ＡＥＤ呼びが出力された場合、前記所定階に前記乗りかごを直行させる専用運転を開始すると共に、前記専用運転の開始から前記所定階に前記乗りかごが到着するまでの間に施錠された前記保管箱を開錠するものである。
【発明の効果】
【００１３】
本発明によれば、ＡＥＤ呼びが発生した場合、専用運転を開始すると共に、開始から所定階に乗りかごが到着するまでの間に保管箱を開錠するので、ＡＥＤへのイタズラや盗難を保管時から使用時に至るまで確実に抑止し、救命処置を迅速にできる。
【図面の簡単な説明】
【００１４】
【図１】本発明による一実施の形態における全体構成を示すブロック図。
【図２】本発明による一実施の形態における制御アルゴリズムを示すフローチャート。
【図３】本発明による他の実施の形態における全体構成を示すブロック図。
【発明を実施するための形態】
【００１５】
以下、図を参照して、本発明の一実施形態について説明する。  
図１は、エレベーター装置の全体構成を示し、建物１内のエレベーター２の乗りかご３の内部の壁際には電気信号で開錠が可能とされた電子錠を備えたＡＥＤの保管箱４を常設する。ＡＥＤの保管箱４の内部にはＡＥＤ５を収納する。建物１の所定階床のエレベーター乗場６に設けた乗場操作盤７には、通常の呼び釦８に加えてＡＥＤ専用運転のために乗りかご３を呼ぶ手段であるＡＥＤ呼びスイッチ９を設ける。ＡＥＤ呼びスイッチ９から信号線１０がエレベーター制御装置１１まで配線されている。乗りかご３の内部の側壁面１２には、ＡＥＤの保管箱４の開錠スイッチ１３を設置する。開錠スイッチ１３から信号線１４がテールコード１５を経由してエレベーター制御装置１１まで配線されている。乗りかご３の内部には、音声放送装置１８と文字表示装置１９とを備える。
【００１６】
以下、動作について、図２のフローチャートを参照して説明する。  
建物１内で心室細動を発症したとみられる患者が発生した際に、居合わせた人がＡＥＤ呼びスイッチ９を押して乗りかご３を呼ぶ（ステップ１）と、エレベーター制御装置１１はＡＥＤ呼び信号を受信して（ステップ２）、エレベーター２にＡＥＤ専用運転を開始させる（ステップ３）。ＡＥＤ専用運転では任意の位置にいる乗りかご３が直ちにＡＥＤ呼び発生階床１６に向かって移動を開始する（ステップ４）。その際に、扉１７が閉じている乗りかご３内に乗客が乗り合わせている場合は、乗客を降ろさずにＡＥＤ呼び発生階床１６へと直行させる。ＡＥＤ専用運転中は、通常のかご呼び信号を全て無視する。
【００１７】
ＡＥＤ専用運転の開始とともにエレベーター制御装置１１は、通信回線を通じて接続可能とされた監視センタに通報を行うと共に、少なくとも乗りかご３内あるいは各階床のエレベーター乗場６のいずれかに向けて、エレベーター２が「ＡＥＤ専用運転中」である旨または「急患対応の専用運転中」である旨を、音声放送装置１８で音声放送する（ステップ５Ａ）。また同様の情報を文字表示装置１９により文字表示する（ステップ５Ｂ）。例えば「急病人発生。救援のために急病人の発生した５階に向かいます。」などと状況を逐次報告する。さらには、「（明かりが点滅している）保管箱からＡＥＤが取り出せます。」などと、乗客に救急作業の手伝いを依頼するメッセージを送ることも可能である。
【００１８】
ＡＥＤ専用運転の開始時点からＡＥＤ呼び発生階床１６に乗りかご３が到着する時点までの間に、エレベーター制御装置１１は電子錠に信号を送り、ＡＥＤの保管箱４を自動開錠する（ステップ６）。
【００１９】
乗りかご３がＡＥＤ呼び発生階床１６に到着して（ステップ７）、エレベーター制御装置１１は扉１７を開く（ステップ８）。このとき救助者（多くは呼び登録した人）が乗りかご３に乗り込んで、ＡＥＤの保管箱４からＡＥＤ５を取り出し、患者のもとへ持参することが可能となる。
【００２０】
ＡＥＤ専用運転の開始時点で乗りかご３に乗り合わせていた人が、ＡＥＤ呼び発生階床１６に到着する以前にＡＥＤ５を取り出して救急活動を手伝うことも可能となる。その後、所定時間の経過を待って、音声放送と文字表示を終了させ（ステップ９）、ＡＥＤ専用運転を終了させる（ステップ１０）。ＡＥＤ専用運転の終了後、救急活動が終わってから救助者などがＡＥＤ５をＡＥＤの保管箱４に収納し、保管箱４を施錠する。
【００２１】
また、ＡＥＤ呼び発生階床１６に乗りかご３が到着するときにエレベーター制御装置１１から電子錠に信号を送って開錠したり、扉１７を開いたときに開錠したり、すればＡＥＤへのイタズラを使用時の直前まで確実に抑止することができる。さらに、「ＡＥＤ専用運転中」である旨または「急患対応の専用運転中」が表示されたとき、あるいはその後に開錠すればイタズラの抑止ができる。
【００２２】
複数のエレベーターの運行を管理する群管理制御を実施しているエレベーター群においては、ＡＥＤ呼び信号を受信したエレベーター制御装置１１はＡＥＤ５を搭載している号機を選択して、ＡＥＤ専用運転を指令する。
【００２３】
複数の乗りかご３にＡＥＤ５を搭載している群管理エレベーター群においては、ＡＥＤ呼び信号を受信したエレベーター制御装置１１は、ＡＥＤ５を搭載している号機の中で前記ＡＥＤ呼び発生階床１６に最も早く到着すると予測される号機を選択して、ＡＥＤ専用運転を指令する。複数の乗りかご３にＡＥＤ５を搭載し、かつ乗りかご３の満員検出機能を有する群管理制御のエレベーター群においては、ＡＥＤ５を搭載しており満員でない乗りかご３の中で最も早く到着すると予測される号機を選択して、ＡＥＤ専用運転を指令する。
【００２４】
一方、乗りかご３の中で心室細動を発症したとみられる患者が発生した際には、居合わせた人が乗りかご３の内部の側壁面１２に設けたＡＥＤ保管箱の開錠スイッチ１３を作動させる。開錠スイッチ１３が作動すると、テールコード１５を経由して信号線１４により開錠信号がエレベーター制御装置１１に伝わる。エレベーター制御装置１１は直ちに（あるいは遅くとも呼びの生じた階床に乗りかごが到着するまでの間に）ＡＥＤの保管箱４の錠を開く。エレベーター制御装置１１はＡＥＤ専用運転として、予め設定された患者を救急車に載せるのに最も便利な階床（多くはロビー階）に向け、乗りかご３を直行させ、その階床に到着後、扉１７を開く。
【００２５】
以上によれば、通常時に乗りかご３内でのＡＥＤ５へのイタズラや盗難の発生を抑止しつつ、建物１内であって乗りかご３の外部で心室細動を疑われる患者が発生した場合にＡＥＤ５を搭載した乗りかご３をＡＥＤ呼び発生階床１６へ急行させ、到着後には遅滞無くＡＥＤ５の使用を可能とすることができる。また、乗りかご内に開錠スイッチ１３を設けてあるので、乗りかご３の内部で心室細動を疑われる患者が発生した場合にも、遅滞無くＡＥＤ５を使用できる。つまり、イタズラが完全に不可能なわけではないが、保管箱４に電子錠を備えない（手で開ける）場合と異なり、乗りかご３の内部の開錠スイッチ１３を作動することが必須であるので、火災報知器の釦を押すのと同様に心理的抵抗感があり、イタズラ抑止に一定の効果が見込まれる。
【００２６】
なお、保管箱４は、乗場側に設置しても良く、その場合、専用運転は保管箱４の設置された乗場からＡＥＤ呼び発生階床１６に向かって移動することとなる。
【００２７】
図３は、乗りかご３の内部に開錠スイッチ１３を設けず、開錠スイッチ１３とエレベーター制御装置１１との間の配線１４も設けていない。本例においては、乗りかご３の外部空間に設置されているＡＥＤ呼びスイッチ９が作動したときだけＡＥＤの保管箱４の錠が開かれるので、通常時における乗りかご３内でのＡＥＤ５へのイタズラや盗難の被害を、より完全に防止できる。また、建物１内であって乗りかご３の外部で心室細動を疑われる患者が発生した場合にＡＥＤ５を搭載した乗りかご３をＡＥＤ呼び発生階床１６へ急行させ、到着後には遅滞無くＡＥＤ５の使用を可能とできる。
【符号の説明】
【００２８】
１  建物
２  エレベーター
３  乗りかご
４  保管箱
５  ＡＥＤ
６  エレベーター乗場
７  乗場操作盤
８  呼び釦
９  ＡＥＤ呼びスイッチ
１０，１４  信号線
１１  エレベーター制御装置
１２  側壁面
１３  開錠スイッチ
１５  テールコード
１６  ＡＥＤ呼び発生階床
１７  扉
１８  音声放送装置
１９  文字表示装置
【図１】
2010247983.tif 000003
【図２】
2010247983.tif 000004
【図３】
2010247983.tif 000005